(57)【要約】【課題】吊り具がフックから外れにくく、吊り具の供回りも生じず、且つ、長さの調整作業がし易い長さ調整具を提供すること。【解決手段】本発明は、吊り具Ｃ１，Ｃ２，Ｃ３を引っ掛けるための一対のフック１０を有する本体部１を備える長さ調整具Ａであって、本体部１が、ねじが切られたねじ部１１ａ，１１ｂを有する軸体１１と、ねじ部１１ａ，１１ｂに螺入された移動ナット部１２ａ，１２ｂと、を有し、移動ナット部１２ａ，１２ｂには、軸体１１の長手方向とは垂直方向に延びるフック１０が取り付けられ、軸体１１を回動させることにより、移動ナット部１２ａ，１２ｂが、軸体１１に沿って移動可能となっている長さ調整具Ａである。【選択図】図１
2018044392.tif 000002
【特許請求の範囲】
【請求項１】
吊り具を引っ掛けるための一対のフックを有する本体部を備える長さ調整具であって、
前記本体部が、ねじが切られたねじ部を有する軸体と、前記ねじ部に螺入された移動ナット部と、を有し、
前記移動ナット部には、前記軸体の長手方向とは垂直方向に延びる前記フックが取り付けられ、
前記軸体を回動させることにより、前記移動ナット部が、前記軸体に沿って移動可能となっている長さ調整具。
【請求項２】
吊り具を引っ掛けるための一対のフックを有する本体部を備える長さ調整具であって、
前記本体部が、互いに逆方向のねじが切られた左ねじ部及び右ねじ部を有する軸体と、前記左ねじ部及び前記右ねじ部にそれぞれ螺入された一対の移動ナット部と、を有し、
前記移動ナット部には、それぞれ、前記軸体の長手方向とは垂直方向に延びる前記フックが取り付けられ、
前記軸体を回動させることにより、一対の前記移動ナット部が、前記軸体に沿って互いに近付く方向又は互いに離れる方向に移動可能となっている長さ調整具。
【請求項３】
前記本体部が収納された外支持枠を更に備え、
該外支持枠が、前記移動ナット部の回動を拘束するためのものである請求項１又は２に記載の長さ調整具。
【請求項４】
前記外支持枠には、前記フックを突出させるために上方に開口した上開口部が形成されている請求項３記載の長さ調整具。
【請求項５】
前記外支持枠には、前記上開口部の対向するように下方に開口した下開口部が更に形成されており、
前記移動ナット部が前記下開口部よりも下方に突出しており、
前記移動ナット部の下端には、外側方向に延びる突起部が設けられ、
該突起部が前記外支持枠に引っ掛けられている請求項４記載の長さ調整具。
【請求項６】
前記軸体の両端には一対の固定ナット部が取り付けられている請求項１〜５のいずれか１項に記載の長さ調整具。
【請求項７】
前記移動ナット部の回動が拘束された状態において、一方の前記フックの長手方向と、他方の前記フックの長手方向とのなす角度が５〜１５°である請求項１〜６のいずれか１項に記載の長さ調整具。
【請求項８】
水平支持材と、該水平支持材を吊架する吊り具とを備える吊り足場に用いられ、
前記吊り具に取り付けることにより、
前記本体部の長手方向が、前記吊り具の長手方向に対して側面視で並列となっている請求項１〜７のいずれか１項に記載の長さ調整具。
【発明の詳細な説明】
【技術分野】
【０００１】
本発明は、長さ調整具に関し、更に詳しくは、吊り具がフックから外れにくく、吊り具の供回りも生じず、且つ、長さの調整作業がし易い長さ調整具に関する。
【背景技術】
【０００２】
仮設工事においては、作業者が作業を行う場合の通路や足場を確保するために、いわゆる足場板が敷設される。
足場板の敷設においては、例えば、足場を下から組み上げることができない場合等には、上から吊って足場板を支える、いわゆる吊り足場が採用される。
【０００３】
かかる吊り足場としては、水平支持材が天井に取り付けられた複数の吊り具により吊架され、水平支持材上に足場板が設置された構造のものや、水平支持材の一端が壁面に取り付けられ、それよりも上方の壁面に取り付けらえた吊り具により、水平支持材の他端が吊架され、水平支持材上に足場板が設置された構造のもの等が挙げられる。
【０００４】
ところで、吊り足場の敷設工事においては、水平支持材を水平に設置することが作業安全上極めて重要である。そのため、下からの支えが無い吊り足場においては、水平支持材を水平状態とするために、吊り具の長さを微調整する長さ調整具が吊り具に取り付けられる。
【０００５】
かかる長さ調整具としては、例えば、１対のフックと、一端が１対のフックの一方に連結されたチェーン（吊り具）と、１対のフックの他方に連結され、チェーンを係合して緊張させるターンバックルとを備える固縛装置が知られている（例えば、特許文献１参照）。
【先行技術文献】
【特許文献】
【０００６】
【特許文献１】特開２００６−１０５２１４号公報
【発明の概要】
【発明が解決しようとする課題】
【０００７】
しかしながら、上記特許文献１記載の固縛装置を含む従来の長さ調整具は、ターンバックルのフックが吊り具の長手方向に突出した構造となっているため、作業中、長さ調整具が傾斜した場合や過荷重時のフック部の変形等により吊り具が当該フックから外れる恐れがある。
また、従来の長さ調整具は、吊り具に対し直列に配置されるため、吊り具が邪魔になって、電動工具等での長さの調整作業がし難いという欠点がある。
さらに、ターンバックルを回転させると、当該ターンバックルに取り付けられた吊り具自身も回転してしまう、いわゆる供回りが生じるという欠点がある。
【０００８】
本発明は上記事情に鑑みてなされたものであり、吊り具がフックから外れにくく、吊り具の供回りも生じず、且つ、長さの調整作業がし易い長さ調整具を提供することを目的とする。
【課題を解決するための手段】
【０００９】
本発明者は、上記課題を解決するため鋭意検討したところ、移動ナット部に、軸体の長手方向とは垂直方向に延びるフックを取り付け、且つ、移動ナット部を軸体に沿って移動させることにより、上記課題を解決し得ることを見出し、本発明を完成するに至った。
【００１０】
本発明は、（１）吊り具を引っ掛けるための一対のフックを有する本体部を備える長さ調整具であって、本体部が、ねじが切られたねじ部を有する軸体と、ねじ部に螺入された移動ナット部と、を有し、移動ナット部には、軸体の長手方向とは垂直方向に延びるフックが取り付けられ、軸体を回動させることにより、移動ナット部が、軸体に沿って移動可能となっている長さ調整具に存する。
【００１１】
本発明は、（２）吊り具を引っ掛けるための一対のフックを有する本体部を備える長さ調整具であって、本体部が、互いに逆方向のねじが切られた左ねじ部及び右ねじ部を有する軸体と、左ねじ部及び右ねじ部にそれぞれ螺入された一対の移動ナット部と、を有し、移動ナット部には、それぞれ、軸体の長手方向とは垂直方向に延びるフックが取り付けられ、軸体を回動させることにより、一対の移動ナット部が、軸体に沿って互いに近付く方向又は互いに離れる方向に移動可能となっている長さ調整具に存する。
【００１２】
本発明は、（３）本体部が収納された外支持枠を更に備え、該外支持枠が、移動ナット部の回動を拘束するためのものである上記（１）又は（２）に記載の長さ調整具に存する。
【００１３】
本発明は、（４）外支持枠には、フックを突出させるために上方に開口した上開口部が形成されている上記（３）記載の長さ調整具に存する。
【００１４】
本発明は、（５）外支持枠には、上開口部の対向するように下方に開口した下開口部が更に形成されており、移動ナット部が下開口部よりも下方に突出しており、移動ナット部の下端には、外側方向に延びる突起部が設けられ、該突起部が外支持枠に引っ掛けられている上記（４）記載の長さ調整具に存する。
【００１５】
本発明は、（６）軸体の両端には一対の固定ナット部が取り付けられている上記（１）〜（５）のいずれか１つに記載の長さ調整具に存する。
【００１６】
本発明は、（７）移動ナット部の回動が拘束された状態において、一方のフックの長手方向と、他方のフックの長手方向とのなす角度が５〜１５°である上記（１）〜（６）のいずれか１つに記載の長さ調整具に存する。
【００１７】
本発明は、（８）水平支持材と、該水平支持材を吊架する吊り具とを備える吊り足場に用いられ、吊り具に取り付けることにより、本体部の長手方向が、吊り具の長手方向に対して側面視で並列となっている上記（１）〜（７）のいずれか１つに記載の長さ調整具に存する。
【発明の効果】
【００１８】
本発明の長さ調整具においては、移動ナット部に、軸体の長手方向とは垂直方向に延びるようにフックを取り付けているので、従来のフックが吊り具の長手方向に突出した長さ調整具よりも、吊り具がフックから外れ難い。すなわち、吊り具がフックに対して９０°、奥のほうに引っ掛けられることになるので、作業中、長さ調整具が吊り具の長手方向に対して傾斜した場合であっても吊り具がフックから外れ難い。
また、本発明の長さ調整具は、吊り具を、軸体の長手方向とは垂直方向に延びるフックに取り付けるので、長さ調整具の本体部の長手方向と、吊り具の長手方向とは、側面視で並列の関係となる。このため、長さ調整作業の際に、吊り具が邪魔にならない。その結果、狭隘な部分での作業が可能となり、電気工具等も利用し易く、作業効率も向上することとなる。
さらに、本発明の長さ調整具においては、軸体を回動させることにより、フックが取り付けられた移動ナット部が軸体に沿って直線的に移動するようになっているので、いわゆる吊り具の供回りが生じない。
【００１９】
これに加え、本発明の長さ調整具においては、軸体の左ねじ部及び右ねじ部にそれぞれ移動ナット部が螺入されており、軸体を回動させることにより、一対の移動ナット部が、軸体に沿って互いに近付く方向又は互いに離れる方向に移動可能となっている場合、移動ナット部の移動スピードが２倍となるので、長さ調整作業を効率良く行うことができる。
【００２０】
本発明の長さ調整具においては、外支持枠を更に備え、本体部が外支持枠に収納されている場合、移動ナット部がねじ部に螺入されている螺入部分が外支持枠により覆われることになるので、螺入部分に直接、手や服が触れることを防止できる。このことから、長さ調整作業を安全に行うことが可能となる。
また、外支持枠が、移動ナット部の回動を拘束するものである場合、軸体と移動ナット部との供回りを防止することができる。
【００２１】
本発明の長さ調整具においては、外支持枠には、上方に開口した上開口部が形成されている場合、本体部を外支持枠内に挿入し易いという利点がある。
また、フックが突出することになるため、当該フックに吊り具を引っ掛け易い。
【００２２】
本発明の長さ調整具においては、外支持枠には、下方に開口した下開口部が更に形成されており、下開口部よりも下方に突出しており、移動ナット部の下端には、外側方向に延びる突起部が設けられ、該突起部が外支持枠に引っ掛けられている場合、移動フック部が軸体に付与する曲げモーメントの作用で当該軸体が変形することを防止することができる。
【００２３】
本発明の長さ調整具においては、軸体の両端には一対の固定ナット部が取り付けられている場合、固定ナット部がストッパーの働きをするため、移動ナット部が軸体から外れることを防止することができる。
【００２４】
本発明の長さ調整具においては、移動ナット部の回動が拘束された状態において、一方のフックの長手方向と、他方のフックの長手方向とのなす角度が５〜１５°である場合、フックを引っ張る吊り具の張力により、本体部が僅かに傾くことになる。これにより、長さ調整作業において、軸体を回転させ易くなるという利点がある。
【００２５】
本発明の長さ調整具は、吊り足場に用いられる場合、移動ナット部を微移動させることにより、比較的容易に、水平支持材を水平に保つことができる。このため、かかる水平支持材上に足場板やコンベアのフレーム等を設置することにより、仮設工事を安全に行うことができる。
また、本体部の長手方向が、吊り具の長手方向に対して側面視で並列となっているので、長さ調整作業を安全に行うことができ、且つ、作業もし易い。
【図面の簡単な説明】
【００２６】
【図１】図１の（ａ）は、本実施形態に係る長さ調整具を示す上面図であり、（ｂ）は、その側面図であり、（ｃ）は、（ｂ）の長さ調整具をＸ−Ｘ面で切断した断面図である。
【図２】図２の（ａ）及び（ｂ）は、本実施形態に係る長さ調整具に吊り具を取り付け、フックを移動させた状態を示す側面図である。
【図３】図３の（ａ）は、本実施形態に係る長さ調整具の本体部を示す上面図であり、（ｂ）は、その側面図であり、（ｃ）は、（ｂ）の長さ調整具をＹ−Ｙ面で切断した断面図である。
【図４】図４の（ａ）は、本実施形態に係る長さ調整具の外支持枠を示す上面図であり、（ｂ）は、その側面図であり、（ｃ）は、（ｂ）の外支持枠をＹ１−Ｙ１面で切断した断面図である。
【図５】図５の（ａ）は、本実施形態に係る長さ調整具をトンネルに仮設した吊り足場に用いた例を示す概略図であり、（ｂ）は、（ａ）の部分拡大図である。
【図６】図６の（ａ）は、他の実施形態に係る長さ調整具の外支持枠を示す上面図であり、（ｂ）は、その側面図であり、（ｃ）は、（ｂ）の外支持枠をＹ２−Ｙ２面で切断した断面図である。
【図７】図７は、他の実施形態に係る長さ調整具において移動ナット部に取り付けられたフックのそれぞれの突出方向を説明するための正面図である。
【発明を実施するための形態】
【００２７】
以下、必要に応じて図面を参照しつつ、本発明の好適な実施形態について詳細に説明する。なお、図面中、同一要素には同一符号を付すこととし、重複する説明は省略する。また、上下左右等の位置関係は、特に断らない限り、図面に示す位置関係に基づくものとする。更に、図面の寸法比率は図示の比率に限られるものではない。
【００２８】
本発明に係る長さ調整具は、吊り具の長さ、及び、吊り具間の長さを調整することにより当該吊り具に付加されている張力、を調節するための装置である。
ここで、吊り具としては、特に限定されず、環状の部品を連続して繋げたチェーンや、先端に環状の部品等の取り付け部を有するロープ、ワイヤー、タイロッド等が挙げられる。
【００２９】
図１の（ａ）は、本実施形態に係る長さ調整具を示す上面図であり、（ｂ）は、その側面図であり、（ｃ）は、（ｂ）の長さ調整具をＸ−Ｘ面で切断した断面図である。
図１の（ａ）〜（ｃ）に示すように、本実施形態に係る長さ調整具Ａは、図示しない吊り具を引っ掛けるための一対のフック１０を有する本体部１と、本体部１を収納する外支持枠２とを備える。
【００３０】
長さ調整具Ａにおいては、一対のフック１０に吊り具が引っ掛けられる。
ここで、一対のフック１０は、後述するように、本体部１の長手方向に直線的に移動可能となっている。このため、長さ調整具Ａにおいては、一対のフック１０を移動させることにより、フック１０に引っ掛けられた吊り具の長さ、又は、フック１０にそれぞれ引っ掛けられた吊り具間の長さを簡単に調整することができる。
なお、長さ調整具Ａにおいては、上述したように、一対のフック１０が直線的に移動するため、吊り具の供回りは生じない。
【００３１】
図２の（ａ）及び（ｂ）は、本実施形態に係る長さ調整具に吊り具を取り付け、フックを移動させた状態を示す側面図である。
図２の（ａ）に示す長さ調整具Ａにおいては、一対のフック１０が、１本の吊り具Ｃ１に対して、それぞれ引っ掛けられている。
そして、一対のフック１０が吊り具Ｃ１に引っ掛けられた状態で、一対のフック１０を共に移動させることにより、例えば、互いに近づけたり、遠ざけたりして、吊り具Ｃ１の長さを微調整することが可能となる。
このように、長さ調整具Ａは、吊り足場等において既に取り付けられた吊り具Ｃ１に対して、後から付け足すことができ、更に、その状態からフック１０を移動させることにより、吊り具Ｃ１自体の長さを調整することができる。
【００３２】
一方、図２の（ｂ）に示す長さ調整具Ａにおいては、一対のフック１０に、それぞれ、別の吊り具Ｃ２１，Ｃ２２が引っ掛けられている。
そして、一対のフック１０が別々の吊り具Ｃ２１，Ｃ２２に引っ掛けられた状態で、一対のフック１０を共に移動させることにより、例えば、互いに近づけたり、遠ざけたりして、吊り具Ｃ２１，Ｃ２２同士の間の長さを微調整することが可能となる。
このように、長さ調整具Ａは、施工時に、別々の吊り具Ｃ２１，Ｃ２２同士を繋ぐことができ、更に、その状態からフック１０を移動させることにより、吊り具Ｃ２１，Ｃ２２同士の間の長さ（距離）を調整することができる。
【００３３】
図１に戻り、長さ調整具Ａにおいては、本体部１が、外支持枠２に対して着脱自在となっている。このため、例えば、吊り具に付与される張力の大きさに合わせて、外支持枠２に取り付ける本体部１を適宜交換することができる。ちなみに、上記張力が大きいほど、軸体の径が太い引っ張り強度の大きな本体部１を用いることが望ましい。
【００３４】
次に、本体部１及び外支持枠２についてそれぞれ説明する。
図３の（ａ）は、本実施形態に係る長さ調整具の本体部を示す上面図であり、（ｂ）は、その側面図であり、（ｃ）は、（ｂ）の長さ調整具をＹ−Ｙ面で切断した断面図である。
図３の（ａ）〜（ｃ）に示すように、本体部１は、調整部１１ｃの両側に、左側のねじ部１１ａ（以下「左ねじ部１１ａ」ともいう。）及び右側のねじ部１１ｂ（以下「右ねじ部１１ｂ」ともいう。）を有する棒状の軸体１１と、左ねじ部１１ａに螺入された移動ナット部１２ａ（以下「左移動ナット部１２ａ」ともいう。）と、右ねじ部１１ｂに螺入された移動ナット部１２ｂ（以下「右移動ナット部１２ａ」ともいう。）と、左移動ナット部１２ａ及び右移動ナット部１２ｂの上面にそれぞれ設けられたフック１０とを有する。
【００３５】
ここで、左ねじ部１１ａ及び右ねじ部１１ｂは、調整部１１ｃを中心に左右対称となるように、互いに逆方向のねじが切られている。
また、左移動ナット部１２ａ及び右移動ナット部１２ｂは、中空部を有する中空直方体状となっており、それぞれの中空部には、対応する左ねじ部１１ａ及び右ねじ部１１ｂにそれぞれ合致するように、互いに逆方向にねじが切られている。このため、軸体１１の左ねじ部１１ａに中空部を螺入した左移動ナット部１２ａ、及び、軸体１１の右ねじ部１１ｂに中空部を螺入した右移動ナット部１２ｂは、軸体１１を回動させることにより、軸体１１の長手方向に沿って互いに近付く方向又は互いに離れる方向に移動するようになっている。
【００３６】
本体部１においては、上述したように、左移動ナット部１２ａ及び右移動ナット部１２ｂの上面に、それぞれ、軸体１１の長手方向とは垂直方向に延びるＪ字状のフック１０が互いに向かい合うように取り付けられている。このため、作業中、長さ調整具Ａが吊り具の長手方向に対して傾斜した場合であっても吊り具がフック１０から外れ難い。
【００３７】
長さ調整具Ａにおいて、フック１０は、軸体１１の長手方向とは垂直方向に延びるように取り付けられる。このため、フック１０に取り付けられる吊り具の長手方向と、長さ調整具Ａの本体部１の本体部の長手方向とは、側面視で並列の関係となる（図２参照）。これにより、長さ調整具Ａにおいては、長さ調整作業の際に、吊り具が邪魔にならないという利点がある。
【００３８】
長さ調整具Ａにおいて、左移動ナット部１２ａの下端の両側には、外側に延びる突起部１２ａ１が設けられており（図３の（ｂ）,（ｃ）参照）、右移動ナット部１２ｂの下端の両側には、外側方向に延びる突起部１２ｂ１が設けられている（図３の（ｂ）参照）。
ここで、長さ調整具Ａにおいては、両方の突起部１２ａ１, 突起部１２ｂ１が、外支持枠２に引っ掛けられる（図１の（ｂ）参照）。これにより、フック１０に吊り具が引っ掛けられ、フック１０に張力が付与された場合に、左移動フック部１２ａ及び右移動フック部１２ｂが軸体１１に付与する曲げモーメントを、突起部１２ａ１,１２ｂ１を外支持枠２に当接させることで、軽減することができる。その結果、軸体１１が変形することを防止することができる。
【００３９】
本体部１は、軸体１１の両端に一対の固定ナット部１３が取り付け固定されている。すなわち、本体部１においては、軸体１１と固定ナット部１３とは一体となっており、固定ナット部を回動させることにより、軸体１１が回動するようになっている。なお、軸体１１自体を直接回動させるのではなく、固定ナット部を介して回動させることにより、軸体１１を回動させ易い。
したがって、長さ調整具Ａにおいては、例えば、電動工具等を用いて、固定ナット部１３を回動させることにより、軸体１１が共に回動し、それに基づいて、左移動ナット部１２ａ及び右移動ナット部１２ｂが移動することになる。
また、固定ナット部１３は、軸体１１の両側に取り付けられていることから、左移動ナット部１２ａ及び右移動ナット部１２ｂが軸体１１から外れることを防ぐ、ストッパーの働きも担っている。
【００４０】
図４の（ａ）は、本実施形態に係る長さ調整具の外支持枠を示す上面図であり、（ｂ）は、その側面図であり、（ｃ）は、（ｂ）の外支持枠をＹ１−Ｙ１面で切断した断面図である。
図４の（ａ）〜（ｃ）に示すように、外支持枠２は、中空の筐体部２０と、当該筐体部２０の両側に設けられた中空の端枠部２１と、を有している。
また、当該端枠部２１同士の間の筐体部２０は、長手方向に貫通口を有している。すなわち、筺体部２０には、上述したフック１０を突出させるために上方に開口した上開口部２２と、上開口部２２に連続して下方に開口した下開口部とが形成されている。
なお、上開口部２２及び下開口部は、筺体部２０に長手方向に沿うように、矩形状に設けられている。
【００４１】
長さ調整具Ａにおいて、外支持枠２は、本体部１を筐体部２０内に収納するようになっている。これにより、左移動ナット部１２ａ及び右移動ナット部１２ｂが、対応する左ねじ部１１ａ及び右ねじ部１１ｂに螺入されているそれぞれの螺入部分が外支持枠２により周囲が覆われることになるので、螺入部分に直接、手や服が触れることを防止できる。このことから、長さ調整作業を安全に行うことが可能となる。
また、軸体１１の左ねじ部１１ａ又は右ねじ部１１ｂが汚れたり、外部から衝撃により、左ねじ部１１ａ又は右ねじ部１１ｂが変形すること等を防止することができる。
【００４２】
長さ調整具Ａにおいて、筺体部２０の中空の部分は、左移動ナット部１２ａ及び右移動ナット部１２ｂの形状に対応した形状（直方体状）となっている。すなわち、長さ調整具Ａにおいては、左移動ナット部１２ａ及び右移動ナット部１２ｂが外支持枠２に支持されることになる。これにより、左移動ナット部１２ａ及び右移動ナット部１２ｂの軸体１１の長手方向への移動は可能であるが、軸を中心とする左移動ナット部１２ａ及び右移動ナット部１２ｂの回動は、外支持枠２の筐体部２０により、拘束されることになる。その結果、長さ調整具Ａにおいては、軸体１１を回動させたとしても、左移動ナット部１２ａ及び右移動ナット部１２ｂの回動は、外支持枠２により拘束されることになるので、軸体１１と供に回動すること（供回り）を防止することができる。
【００４３】
長さ調整具Ａにおいて、筺体部２０の上下方向の幅Ｈ１は、左移動ナット部１２ａ及び右移動ナット部１２ｂの上下方向の幅Ｈ２（図３の（ｃ）参照）よりも小さくなっている。
また、左移動ナット部１２ａ及び右移動ナット部１２ｂは、上開口部２２よりも上方に突出しており、且つ、下開口部よりも下方に突出している（図１の（ｂ）参照）。
これらのことにより、長さ調整具Ａにおいては、本体部１を外支持枠２内に挿入し易くなり、左移動ナット部１２ａ及び右移動ナット部１２ｂの移動もスムーズになる。また、フック１０が突出することになるため、当該フック１０に吊り具を引っ掛け易い。
【００４４】
長さ調整具Ａにおいて、外支持枠２は、本体部１の両側を、それぞれ端枠部２１で把持するようになっている。これにより、長さ調整具Ａにおいては、本体部１が不作為に外支持枠２から外れることを防止することができる。
【００４５】
次に、本体部１及び外支持枠２による長さ調整具Ａの組み立て方法について説明する。
まず、左ねじ部１１ａ及び右ねじ部１１ｂが形成された軸体１１の、左ねじ部１１ａに左移動ナット部１２ａを螺入し、右ねじ部１１ｂに右移動ナット部１２を螺入する。
そして、左移動ナット部１２ａ及び右移動ナット部１２ｂが螺入された状態の軸体１１の一端を、一方側の端枠部２１に引っ掛け、フック１０が開口部２２から突出するように軸体１１、左移動ナット部１２ａ及び右移動ナット部１２ｂを筐体部２０内に挿入し、軸体１１の他端を、他方側の端枠部２１に引っ掛ける。これにより、本体部１が外支持枠２に収納される。
最後に、軸体１１の両端に固定ナット部１３を取り付け固定する（図１の（ａ）及び（ｂ）参照）。
このように、長さ調整具Ａは、本体部１及び外支持枠２から簡単に組み立てることができる。
【００４６】
次に、長さ調整具Ａを吊り足場に用いた例を示す。
図５の（ａ）は、本実施形態に係る長さ調整具をトンネルに仮設した吊り足場に用いた例を示す概略図であり、（ｂ）は、（ａ）の部分拡大図である。なお、図５の（ｂ）において、足場板３２は省略する。
図５の（ａ）に示すように、長さ調整具Ａは、水平支持材３１と、該水平支持材３１を吊架する吊り具Ｃ３と、水平支持材３１上に配置された足場板３２とを備える吊り足場３０の吊り具Ｃ３に取り付けて用いられる。
【００４７】
ここで、図５の（ｂ）に示すように、水平支持材３１は、伸縮可能な鋼材からなり、一端がトンネルの壁面Ｔに取り付けられた高さ調整型壁固定治具３３に固定されており、他端にはアイボルトＩＢが固定されている。
そして、吊り具Ｃ３は、ループ状になっており、一端が水平支持材３１の上方のトンネルの壁面Ｔにアンカー止めされたフックＦに引っ掛けられており、他端が上記アイボルトＩＢに挿通されている。
また、二重になった吊り具Ｃ３の一方側に長さ調整具Ａが取り付けられている。
【００４８】
吊り足場３０においては、長さ調整具Ａの固定ナット部１３を回動させることにより、左移動ナット部及び右移動ナット部が微移動するため、吊り具Ｃ１の長さを微調整することができる。これにより、水平支持材３１が水平となるように微調整することができる。
また、上述したように、長さ調整具Ａの本体部の長手方向が、吊り具Ｃ３の長手方向に対して側面視で並列となっているので、固定ナット部１３を回動させる長さ調整作業を安全に行うことができ、且つ、作業もし易い。
【００４９】
以上、本発明の好適な実施形態について説明したが、本発明は上記実施形態に限定されるものではない。
【００５０】
例えば、本実施形態に係る長さ調整具Ａは、本体部１と、本体部１が収納された外支持枠２とを備えているが、外支持枠２は必ずしも必須ではない。
【００５１】
本実施形態に係る長さ調整具Ａにおいては、本体部１が、調整部１１ｃの両側に、左ねじ部１１ａ及び右ねじ部１１ｂを有する棒状の軸体１１と、左ねじ部１１ａに螺入された左移動ナット部１２ａと、右ねじ部１１ｂに螺入された右移動ナット部１２ａと、左移動ナット部１２ａ及び右移動ナット部１２ｂの上面にそれぞれ設けられたフック１０とを有しているが、左ねじ部１１ａｂ又は右ねじ部１１、及び、それに対応する左移動ナット部１２ａ又は右移動ナット部１２ａを有していなくてもよい。
例えば、本体部が、調整部の一方側にねじ部を有する棒状の軸体と、当該ねじ部に螺入された移動ナット部とを有し、移動ナット部には、軸体の長手方向とは垂直方向に延びるフックが取り付けられており、軸体の他方側にも軸体の長手方向とは垂直方向に延びるフックが取り付けられており、軸体を回動させることにより、移動ナット部が、軸体に沿って移動可能となっている構造であってもよい。
【００５２】
本実施形態に係る長さ調整具Ａにおいて、左移動ナット部１２ａ及び右移動ナット部１２ａは、中空部を有する中空直方体状となっているが、これに限定されない。
【００５３】
本実施形態に係る長さ調整具Ａにおいて、左移動ナット部１２ａの下端の両側には、外側に延びる突起部１２ａ１が設けられており、右移動ナット部１２ｂの下端の両側には、外側方向に延びる突起部１２ｂ１が設けられているが、突起部１２ａ１,１２ｂ１は、必ずしも必須ではない。
【００５４】
本実施形態に係る長さ調整具Ａにおいて、外支持枠２の構造は、図４の（ａ）、（ｂ）及び（ｃ）に示すものに限定されない。
図６の（ａ）は、他の実施形態に係る長さ調整具の外支持枠を示す上面図であり、（ｂ）は、その側面図であり、（ｃ）は、（ｂ）の外支持枠をＹ２−Ｙ２面で切断した断面図である。
図６の（ａ）〜（ｃ）に示すように、外支持枠４は、一対のＴ字状の枠からなる筐体部４０と、当該筐体部４０の両側に設けられた中空の端枠部４１と、を有している。
また、当該端枠部４１同士の間の筐体部４０には、上述したフック１０を突出させるために上方に開口した開口部４２と、上開口部の対向するように下方に開口した下開口部とが形成されている。
なお、上開口部４２及び下開口部は、筺体部４０に長手方向に沿うように、矩形状に設けられている。
【００５５】
ここで、外支持枠４の筐体部４０は、鋼板、ステンレス、チタン等の金属板にプレス加工等を施して成型したものである。
このように、筺体部４０としてこれらの金属板を用いることにより、外支持枠４は、耐腐食性に優れるものとなる。
【００５６】
本実施形態に係る長さ調整具Ａにおいて、筺体部２０の上下方向の幅Ｈ１は、左移動ナット部１２ａ及び右移動ナット部１２ｂの上下方向の幅Ｈ２よりも小さくなっているが、必ずしもこれに限定されない。
また、左移動ナット部１２ａ及び右移動ナット部１２ｂは、上開口部２２よりも上方に突出しており、且つ、下開口部よりも下方に突出しているが、何れか一方のみが突出したものであってもよく、何れも突出していないものであってもよい。
【００５７】
本実施形態に係る長さ調整具Ａにおいて、一対のフック１０は、正面視で、同じ方向に突出しているが、異なる方向であってもよい。
図７は、他の実施形態に係る長さ調整具において移動ナット部に取り付けられたフックの突出方向を説明するための正面図である。なお、固定ナット部の記載は省略している。
図７に示すように、長さ調整具Ｂにおいて、一対のフック１０ａは、正面視で、位相がずれるような異なる方向に突出している。このとき、一方側の移動ナット部１５に取り付けられたフック１０ａの突出方向と、他方側の移動ナット部１５に取り付けられたフック１０ａの突出方向とのなす角度θが５〜１５°であることが好ましい。
この場合、両フック１０ａに引っ掛けた吊り具を両側から引っ張ると、本体部は僅かに傾くことになる。その結果、固定ナット部の一方側が、僅かに手前側に向くため、長さ調整作業において、軸体を回転させ易くなるという利点がある。
【００５８】
本実施形態に係る長さ調整具Ａは、図５に示す吊り足場３０においては、長さ調整具Ａを、ループ状（２重）にした吊り具の一方側に取り付けているが、１本（１重）の吊り具に取り付けることも当然可能である。
【産業上の利用可能性】
【００５９】
本発明に係る長さ調整具Ａは、例えば、吊り足場の敷設工事において、吊り具の長さを微調整するために用いられる。
本発明に係る長さ調整具Ａによれば、吊り具がフックから外れにくく、吊り具の供回りも生じず、且つ、長さの調整作業がし易い。
【符号の説明】
【００６０】
１・・・本体部
１０,１０ａ・・・フック
１１・・・軸体
１１ａ・・・左ねじ部（ねじ部）
１１ｂ・・・右ねじ部（ねじ部）
１１ｃ・・・調整部
１２ａ・・・左移動ナット部（移動ナット部）
１２ａ１,１２ｂ１・・・突起部
１２ｂ・・・右移動ナット部（移動ナット部）
１３・・・固定ナット部
１５・・・移動ナット部
２,４・・・外支持枠
２０,４０・・・筐体部
２１，４１・・・端枠部
２２，４２・・・上開口部
３０・・・吊り足場
３１・・・水平支持材
３２・・・足場板
Ａ・・・長さ調整具
Ｃ１，Ｃ２，Ｃ３・・・吊り具
Ｈ１，Ｈ２・・・幅
θ・・・角度
【図１】
2018044392.tif 000003
【図２】
2018044392.tif 000004
【図３】
2018044392.tif 000005
【図４】
2018044392.tif 000006
【図５】
2018044392.tif 000007
【図６】
2018044392.tif 000008
【図７】
2018044392.tif 000009